(57)【要約】【課題】扇風機に使用される負イオン発生装置において、負イオン発生機能および、送風機能の低下することのない扇風機を提供することを目的とする。【解決手段】扇風機主体４を支持する支柱５の下端に一体的に設けられる基台７と、基台７の前方側に設けられる操作部と、基台７の後方側に設けられる負イオン発生装置の負イオン吐出口１０とを備え、基台７の後方より発生する負イオンを扇風機主体４の吸込流により誘引して扇風機主体４の前方側に向け放散する構成とし、負イオンの発生機能および送風機能の低下することのない扇風機を得られる。【選択図】図１
2005201191.tif 000002
【特許請求の範囲】
【請求項１】
ファンモータおよびファンを囲むガードを有した扇風機主体と、この扇風機主体を支持する支柱と、この支柱の下端に一体的に設けられる基台と、この基台の前方側に設けられる操作部と、前記基台の後方側に設けられる負イオン発生装置とを備え、前記基台の後方より発生する負イオンを前記扇風機主体の吸込流により誘引して前記扇風機主体の前方側に向け放散する構成とした扇風機。
【請求項２】
基台後方の表面に形成される負イオン吐出口と、この負イオン吐出口の直下を外した位置に設けられる負イオン発生装置の負イオン発生部を収納する筒状箱体部とを備え、前記負イオン発生部から発生した負イオンを、前記負イオン吐出側に曲折した負イオン流路を介して吐出する構成とした請求項１記載の扇風機。
【請求項３】
基台内部に負イオン発生部を収納する筒状箱体部を装着する装着部を設け、前記基台裏面に略沿うように前記筒状箱体部を前記装着部に横向きに配設した請求項２記載の扇風機。
【請求項４】
筒状箱体部の底部を絶縁物により２重底に形成し、前記絶縁物の前部を前記筒状箱体部より前方に突出して対向する装着部の側壁との間に水抜開口部を形成した請求項３記載の扇風機。
【請求項５】
筒状箱体部を難燃材料で形成した請求項２記載の扇風機。
【請求項６】
負イオン発生部と基台の底部に設けられる金属製の底板との間に絶縁物を介在させた請求項１記載の扇風機。
【請求項７】
基台に分離可能に設けられる支柱と、この支柱下端部が挿入されるように、前記基台に設けられる筒状の挿入部と、この挿入部の側壁で筒状箱体部を装着する装着部の周壁の一部を形成した請求項３記載の扇風機。
【請求項８】
装着部と基台外周壁との間の基台部分に、電源コード収納部を形成した請求項３記載の扇風機。
【発明の詳細な説明】
【技術分野】
【０００１】
本発明は、負イオン発生装置を基台に設け、負イオンを発生させる扇風機に関する。
【背景技術】
【０００２】
従来、この種の扇風機の一例として負イオン発生ユニットを送風機器に添装した扇風機が知られている（例えば、特許文献１参照）。
【０００３】
以下、その扇風機に図６および図７を参照しながら説明する。
【０００４】
図に示すように、高圧発生部１０１と負イオン発生部１０２により形成された負イオン発生ユニット１０３は、モーターカバー１０４の上面に添装され、扇風機１０５ＡＣ電源のスイッチ１０６から、近くに配設した交流−直流変換部１０７を介して直流電源が供給されるように設け構成している。
【特許文献１】特開平９−２４５９３５号公報（［０００４］〜［０００７］、図１、図３）
【発明の開示】
【発明が解決しようとする課題】
【０００５】
このような従来の扇風機では、負イオン発生ユニット１０３をモーターカバー１０４の上面に添装しているので、負イオン発生ユニット１０３から発生する負イオンに比較して負イオン発生ユニット１０３に接触する空気量が多く、空気中に含まれる粉塵の付着量が多くなり、負イオン発生ユニット１０３の負イオンの発生機能が低下するという課題があり、負イオンの発生機能が低下しないようにすることが要求されている。
【０００６】
また、負イオン発生ユニット１０３は、高圧発生部１０１と負イオン発生部１０２により形成されていることにより、モーターカバー１０４の上面に添着される負イオン発生ユニット１０３の容積が大きくなり、空気抵抗となって扇風機１０５の送風機能低下するという課題があり、送風機能を損なわないことが要求されている。
【０００７】
本発明は、このような従来の課題を解決するものであり、負イオンの発生機能および送風機能が低下することのない扇風機を提供することを目的としている。
【課題を解決するための手段】
【０００８】
本発明の扇風機は上記目的を達成するために、扇風機主体を支持する支柱の下端に一体的に設けられる基台と、この基台の後方側に設けられる負イオン発生装置とを備え、前記基台の後方より発生する負イオンを前記扇風機主体の吸込流により誘引して前記扇風機主体の前方側に放散する構成としたものである。
【０００９】
この手段により、負イオン発生機能および送風機能の低下することのない扇風機が得られる。
【００１０】
また、他の手段は、基台後方の表面に形成される負イオン吐出口と、この負イオン吐出口の直下を外した位置に設けられる負イオン発生部を収納する筒状箱体部とを備え、前記負イオン発生部から発生した負イオンを、前記負イオン吐出側に曲折した負イオン流路を介して吐出する構成としたものである。
【００１１】
この手段により、負イオン吐出口から侵入した異物が負イオン発生部に直接接触するのが防止でき、安全性を確保することができる。
【００１２】
また、他の手段は、基台内部に負イオン発生部を収納する筒状箱体部を装着する装着部を設け、前記基台裏面に略沿うように前記筒状箱体部を前記装着部に横向きに配設したものである。
【００１３】
この手段により、基台の高さ寸法を増加させることなく負イオン発生装置を収納することができる。
【００１４】
また、他の手段は筒状箱体部の底部を絶縁物により２重底に形成し、前記絶縁物の前部を前記筒状箱体部より前方に突出して対向する装着部の側壁との間に水抜開口部を形成したものである。
【００１５】
この手段により、負イオン吐出口より水滴が侵入した場合でも水滴が筒状箱体部内に設けた負イオン発生装置の高圧針状部にかからないようにして耐久性、安全性を確保することができる。
【００１６】
また、他の手段は、筒状箱体部を難燃材料で形成したものである。
【００１７】
この手段により、負イオン発生装置の安全性を確保することができる。
【００１８】
また、他の手段は、負イオン発生部と基台の底部に設けられる金属製の底板との間に絶縁物を介在させた構成としたものである。
【００１９】
この手段により、負イオン発生部から発生した負イオンが底板側に漏出しないようにして、負イオン発生量を確保することができる。
【００２０】
また、他の手段は、基台に分離可能に設けられる支柱と、この支柱下端部が挿入されるように、前記基台に設けられる筒状の挿入部と、この挿入部の側壁で筒状箱体部を装着する装着部の周壁の一部を形成したものである。
【００２１】
この手段により、基台形状の簡素化および、基台形状の有効活用を図ることができ、また、支柱が負イオン供給の障害にならないようにすることができる。また、他の手段は、装着部と基台外周壁との間の基台部分に電源コードの収納部を形成したものである。
【００２２】
この手段により、基台形状の有効活用を図ることができる。
【発明の効果】
【００２３】
本発明によれば、負イオンの発生機能および、送風機能の低下することのない効果のある扇風機を提供できる。
【００２４】
また、負イオン発生装置の耐久性および安全性を確保することのできる効果のある扇風機を提供できる。
【００２５】
また、基台形状の有効活用を図ることができる効果のある扇風機を提供できる。
【発明を実施するための最良の形態】
【００２６】
本発明の請求項１記載の発明は、ファンモーターおよびファンを囲むガードを有した扇風機主体と、この扇風機主体を支持する支柱と、この支柱の下端に一体的に設けられる基台と、この基台の前方側に設けられる操作部と前記、基台の後方側に設けられる負イオン発生装置とを備え、前記基台の後方より発生する負イオンを前記扇風機主体の吸込流により誘引して前記扇風機主体の前方側に向け放散する構成としたものであり、負イオン発生装置を基台の後方側に設けることにより、扇風機主体の送風に対して障害物とならないので、扇風機の送風機能が低下せず維持できるとともに、負イオン発生装置が空気中の粉塵により汚染されることが少なくなり、負イオンの発生機能を正常に保つことができ、また負イオン発生装置は操作部の反対位置に設けられることにより電気的干渉を防ぐことができるという作用を有する。
【００２７】
また、請求項２記載の発明は、基台後方の表面に形成される負イオン吐出口と、この負イオン吐出口の直下を外した位置に設けられる負イオン発生装置の負イオン発生部を収納する筒状箱体部とを備え、前記負イオン発生部から発生した負イオンを、前記負イオン吐出側に曲折した負イオン流路を介して吐出する構成としたものであり、負イオン吐出口から侵入した異物は、負イオン吐出口の直下を外した位置に設けた負イオン発生部に直接接触するのが防止できるとともに、負イオン発生部で発生した負イオンは曲折した負イオン流路を通って負イオン吐出口に案内して吐出することができるという作用を有する。
【００２８】
また、請求項３記載の発明は、基台内部に負イオン発生部を収納する筒状箱体部を装着する装着部を設け、前記基台裏面に略沿うように前記筒状箱体部を前記装着部に横向きに配設したものであり、基台の高さ寸法を増加させることなく負イオン発生装置を収納することができ、基台内を有効に活用できるという作用を有する。
【００２９】
また、請求項４記載の発明は、筒状箱体部の底部を絶縁物により２重底に形成し、前記絶縁物の前部を前記筒状箱体部より前方に突出して対向する装着部の側壁との間に水抜開口部を形成したものであり、負イオン吐出口より水滴が侵入した場合でも水滴は負イオン吐出口の直下に落下して水抜開口部より排出されるとともに、一部は水抜開口部側から負イオンが吐出されないように水抜開口部の面積を減少するために、筒状箱体部より前方に突出して形成した絶縁物で受け止められたのち、水抜開口部に排出させることができ、筒状箱体部内に設けた負イオン発生装置の負イオン発生部に水滴がかかるのが防止され、負イオン発生装置の耐久性および安全性を確保することができるという作用を有する。
【００３０】
また、請求項５記載の発明は、筒状箱体部を難燃材料で形成したものであり、劣悪な環境で使用された場合に、万一、イオン発生部で発火することがあっても類焼するのが防止され、負イオン発生装置の安全性を確保できるという作用を有する。
【００３１】
また、請求項６記載の発明は、負イオン発生装置と、基台の底部に設けられる金属製の底板との間に絶縁物を介在させたものであり、負イオン発生装置から発生した負イオンが金属製の底板に帯電しないようにして安全性を確保するとともに、イオン吐出口からの負イオン吐出量が減らないようにすることができるという作用を有する。
【００３２】
また、請求項７記載の発明は、基台に分離可能に設けられる支柱と、この支柱下端部が挿入されるように、前記基台に設けられる筒状の挿入部と、この挿入部の側壁で筒状箱体部を装着する装着部の周壁の一部を形成したものであり、基台形状の簡素化および、基台形状の有効活用を図ることができ、また支柱が負イオン供給の障害にならないようにすることができるという作用を有する。
【００３３】
また、請求項８記載の発明は、装着部と基台外周壁との間の基台部分に電源コード収納部を形成したものであり、基台形状の有効活用を図ることができるという作用を有する。
【００３４】
以下、本発明の実施の形態について図面を参照しながら説明する。
【００３５】
（実施の形態１）
図１〜図５に示すように、ファン１を取り付けたファンモーター２とファン１を囲むガード３を有した扇風機主体４と、扇風機主体４を支持する支柱５と、支柱５の下端部が挿入される筒状の挿入部６を設けた基台７に分離可能に取り付け支柱５を基台７に一体的に設け、基台７の前方側には扇風機主体４の運転を制御する操作部８を設け、基台７の後方には負イオン発生装置９を設ける。
【００３６】
また、基台７の後方側の表面に負イオン吐出口１０を設け、負イオン吐出口１０の直下を外した位置に筒状箱体部１３を設け、この筒状箱体部１３は負イオン発生装置９の針状部１１を有した負イオン発生部１２を収納するＰＳ等の難燃材料で形成される。筒状箱体部１３の装着される装着部１４を挿入部６の一部と共に略コの字状で形成し、筒状箱体部１３を基台７の裏面に沿うように横向きに配設している。
【００３７】
筒状箱体部１３の底部において断面が略Ｕ字状の絶縁物１５により２重底を形成し、絶縁物１５の前部を筒状箱体部１３より前方に突出して対向する装着部１４の側壁との間に水抜開口部１６を形成して設け、負イオン発生部１２から負イオン吐出口１０に向かい曲折した負イオン流路１７を形成する。
【００３８】
また、装着部１４と基台外周壁１８との間には、装着部１４の側壁を延長して電源コード１９の電源コード収納部２０を形成する。負イオン発生部１２に高電圧を印加する高電圧印加部２１を基台７内の空間部分に配設して、負イオン発生部１２と高電圧印加部２１により負イオン発生装置９を形成する。基台７の底部に金属製の底板２２を設け、底板２２と負イオン発生装置９の負イオン発生部１２との間に絶縁物１５により形成した筒状箱体部１３の２重底部分を介在させて構成する。
【００３９】
上記構成において、負イオン発生装置９を作動して負イオン発生部１２の針状部１１より負イオンを発生させるとともに、操作部８により扇風機主体４を運転すると、負イオン発生部１２で発生した負イオンは曲折した負イオン流路１７を通り基台７の表面に設けた負イオン吐出口１０より吐出される。このとき、扇風機主体４の運転により発生する吸気流に基台７の後方側で発生した負イオンは扇風機主体４の前方側に誘引され、扇風機主体４の送風気流内に混合して負イオンが放散される。
【００４０】
また、負イオン吐出口１０から異物が侵入しても、侵入した異物は、負イオン吐出口１０の直下を外した位置に設けられているので、負イオン発生部１２に直接接触することがなく、負イオン発生部１２で発生した負イオンは曲折した負イオン流路１７を通って負イオン吐出口１０に案内されて吐出される。
【００４１】
また、負イオン吐出口１０より水滴が進入した場合においても、水滴は負イオン吐出口１０の直下に落下して水抜開口部１６より排出され、一部は筒状箱体部１３より前方に突出して形成した絶縁物１５で受け止められ、水抜開口部１６側より排出することができ、筒状箱体部１３内に設けた負イオン発生装置９の負イオン発生部１２が水滴がかかることがなくなる。
【００４２】
また、負イオン発生装置９の負イオン発生部１２と基台７の底部に設けられる金属製の底板２３との間に絶縁物１５を介在させたことにより、負イオン発生部１２から発生した負イオンが金属製の底板２２に帯電せず安全に使用でき、負イオン吐出口１０から吐出される負イオン量が減少することも防止できる。
【００４３】
また、支柱５の下端部が挿入されるように基台７に設けた筒状の挿入部６の側壁で筒状箱体部１３を装着する装着部１４の周壁の一部が形成されることにより、基台７の形状を簡素化することができるとともに、基台７の内部を有効に活用することができ、また、支柱５と負イオン吐出口１０とが一定の距離を隔てて設けられることとなり、吐出された負イオンの拡散するスペースが得られ、支柱５が負イオン供給の障害とならないようにすることができる。
【００４４】
また、装着部１４と基台外周壁１８との間の基台７内の空間部分を電源コード１９の電源コード収納部２０に形成したことにより、基台７内の空間部分の有効活用を図ることができる。
【産業上の利用可能性】
【００４５】
負イオン発生装置を、負イオン発生機能および送風機能を損なわず、電装部品にも影響を与えない位置に配設することのできる空調送風機器に適用できる。
【図面の簡単な説明】
【００４６】
【図１】本発明の実施の形態１の扇風機の側面図
【図２】同扇風機の底板を取り外した状態の基台裏面図
【図３】同扇風機の筒状箱体部の断面図
【図４】同扇風機の負イオン流路を示す基台の拡大断面図
【図５】同扇風機の絶縁物と金属製の底板との関係を示す基台の拡大断面図
【図６】従来の扇風機の外観図
【図７】同扇風機の負イオン発生ユニットの外観図
【符号の説明】
【００４７】
１      ファン
２      ファンモーター
３      ガード
４      扇風機主体
５      支柱
６      挿入部
７      基台
８      操作部
９      負イオン発生装置
１０    負イオン吐出口
１２    負イオン発生部
１３    筒状箱体部
１４    装着部
１５    絶縁物
１６    水抜開口部
１７    負イオン流路
１８    基台外周壁
２０    電源コード収納部
２２    金属製の底板
【図１】
2005201191.tif 000003
【図２】
2005201191.tif 000004
【図３】
2005201191.tif 000005
【図４】
2005201191.tif 000006
【図５】
2005201191.tif 000007
【図６】
2005201191.tif 000008
【図７】
2005201191.tif 000009